(57)【要約】【課題】  本発明の目的は、患者の骨を余分に削ることなく、必要量を容易に短時間で除去することにより歯槽骨への埋入及び初期固定を容易且つ確実にして、初期固定後直ちに義歯を装着できる状態を実現することにある。【構成】  本発明の歯科用インプラントは、骨内にインプラントのボディ部を植立し、骨上にインプラントのヘッド部を露出させる歯科用インプラントで、骨内に植立するインプラントのボディ部は頚部を介して天然歯の歯根の形態を扁平にした形状を有し、その中央部にはインプラントのボディ部の外形を一回り小さくした形の貫通孔を設ける。また、ヘッド部とボディ部の移行部分に頚部を設け、その頚部はインプラントのボディ部を植立後、歯槽骨上部に存在する歯肉部内に位置する。【選択図】図１
2010063852.tif 000002
【特許請求の範囲】
【請求項１】
骨内に植立されるインプラントのボディ部から歯肉内に位置する頚部を介して、歯肉上に突出するインプラントのヘッド部からなる一体型の歯科用インプラントにおいて、インプラントのボディ部の形を天然歯の歯根の形態を扁平にしたような形状を特徴とする歯科用インプラント。
【請求項２】
インプラントのボディ部の先端３分の１の部分において先端部の厚みが薄く、幅が細くなっていくようにテーパーを設けたことを特徴とする歯科用インプラント。
【請求項３】
インプラントのボディ部の中央部にボディ部の外形と同じ形の貫通孔を設けた歯科用インプラント。
【発明の詳細な説明】
【技術分野】
【０００１】  本発明は、歯科用インプラントに関し、特に骨内に植立するインプラントに関する。
【背景技術】
【０００２】  歯科用インプラントは欠損した歯を固定式の義歯により補綴するために歯槽骨内に植立し、義歯のための人工歯根として利用される。【０００３】  従来の歯科用インプラントは、歯槽骨内に植立される円柱形のボディと、このボディ上部にねじ固定された柱状のヘッドから構成され、上部義歯はそのヘッドにねじによって固定される。【０００４】  歯槽骨にインプラントが結合し、早期に上部義歯を固定するためには、骨内に円柱形のボディと同じ直径の穴を掘削し、その空洞に正確に適合させることによって初期固定を計り、その後歯槽骨内の骨組織が増殖し、その新生骨とインプラントが結合されるのを待っていた。【０００５】  しかし、上記従来のインプラントの植立には次のような問題点があった。【０００６】  この穴開けの作業は、患者の口腔内で行われるために熟練を要し、インプラントよりも穴が小さくなった場合はインプラントを埋入できず、無理に入れると圧力によってインプラントの周囲の骨組織の虚血を招き、骨が部分的に壊死しインプラントと骨の結合が危うくなる。逆に穴が大きくなった場合、インプラントが動揺し確実な初期固定を得ることが出来ず、歯槽骨に骨接合されずにインプラントがはずれることがある。【０００７】  また、円柱形のねじ型インプラントの場合は歯槽骨へねじ込みの際にかかる力のため、インプラント周囲骨の吸収が起こりやすく、骨接合するまでの時間が長くかかった。さらに骨の状態によっては、穴を深く空けすぎて神経を損傷するリスクを伴った。
【発明の開示】
【発明が解決しようとする課題】
【０００８】  したがって本発明の課題は、熟練を要することなくインプラントを植立する箇所の骨を必要量だけ除去し、インプラント体を容易に埋植することができ、初期固定を確実にして骨結合する確立が高いインプラントを提供することにある。
【課題を解決するための手段】
【０００９】  本発明の歯科用インプラントは、骨内にボディ部を植立し、骨上に頚部を介してヘッド部を突出させる一体型歯科用インプラントで、骨内に植立するボディ部は天然歯の前歯、及び小臼歯の歯根の形態を扁平にした形状を有し、ボディ先端部分３分の１から先端部に向かって厚みを薄く、幅が細くなるように構成され、ボディ部の外形と同じ形の貫通孔を設けている。
【発明の効果】
【００１０】  本発明のインプラントを骨内に植立するときに、骨を削り取るために円形の切削器具を使用する。この切削器具の切削刃の直径がインプラントのボディ部の厚みと同じ大きさのものを使用することにより、切削器具によって削り取られて形成された溝の厚みがインプラントのボディ部と同じ厚みになり、植立するインプラントのボディ部と適合する最適な溝となる。ここにマレット等を用い叩打することでインプラントを嵌挿し摩擦結合による初期固定を先ず得て、その後歯槽骨内の骨組織が増殖し、その新生骨とインプラントが結合されるのを待つ。従来、患者の口腔内という条件の中で高度な技術を要求された骨の切削条件が緩和され、短時間で容易に失敗のない施術が可能になる。【００１１】  また、インプラントのボディ部が先端にむかって厚みが薄くなるようにテーパーをつけているので、マレット等で叩打して嵌挿する際に、歯槽骨に過剰な負荷を与えることなくボディ部先端が骨に埋入されるので骨が吸収しにくく、骨組織と安定した結合を図れる。【００１２】  そして、インプラント植立後、骨が再生成長する過程でインプラントのボディ部に設けた貫通孔が再生した骨で埋められることでインプラントの保持がより強固になる。
【発明を実施するための最良の形態】
【００１３】  図中、符号１は本発明のインプラントである。このインプラント１は義歯を支持するためのヘッド２と、歯槽骨を掘削して形成された溝内に嵌挿されるボディ３及びヘッド部とボディ部を継ぐ頚部４から構成される。
尚、本発明のインプラントは生体親和性に優れ、強度、耐食性、耐薬品性に優れた純チタン、及びチタン系合金によってつくられる。【００１４】  棒状のインプラントヘッド２はヘッド上部２ａからヘッド下部２ｂに向かって次第に太くなるように形成する。インプラントヘッド下部２ｂにはインプラントヘッド２とインプラントボディ３を移行的につなぐ頚部４が形成される。その形状はとくに限定されるものではなく、歯槽骨Ｂ上の歯肉Ａの厚みに適した長さを持ち、インプラントヘッド２とインプラントボディ３を移行的に接続し強度に優れた形態であればよい。【００１５】  また、植立する部位において、隣在歯とのスペース等の様々な状況に対応するために、図１のヘッド部を９０度回転させた図３の形態のインプラントも用意して、症例に応じて使いわける。【００１６】  インプラントボディ３は頚部より天然歯の歯根の形態を扁平にしたような形状にして、ボディ上部２／３  ３Ａは厚みを均一にし、ボディの切端部１／３  ３ｂは先端に向かって厚みが徐々に薄く先細りになるようにテーパーを設ける。これによりインプラントボディ３が海綿骨Ｄに過度の圧力をかけることなく埋入されるので、骨の吸収を抑え初期固定が容易になる。また、インプラントボディ３の中央部には貫通孔５を設け、この貫通孔５を再生成長した骨が埋めることで、インプラントの保持がより強固になる。
【実施例】
【００１７】  本発明のインプラントを歯槽骨Ｂに植立するには、歯肉Ａの下部に位置する緻密骨Ｃ、海綿骨Ｄを、インプラントボディ上部３分の２、３ａ部の厚みと同じ直径の円形の切削器具（特に図示せず）で削る。この切削器具を用いて、インプラントボディ上部３分の２、３ａの巾と同じ寸法に削り、切端部３分の１が埋入される骨は、直径がインプラントより小さいバーを用いてインプラントボディより少し短め（切端部の先細りの切端部分まで削らない）の深さに溝を掘る。マレット等を用い、叩打によってインプラントを嵌挿し、溝形成による負担や損傷のない海綿骨Ｄ中に先端部を食い込ませることで安定を図る。
【産業上の利用可能性】
【００１８】  本発明は、歯科用インプラントに関し、特に骨内に嵌挿されるインプラント体形態の改良に関する。
【図面の簡単な説明】
【００１９】
【図１】本発明のインプラントの斜視図
【図２】本発明のインプラントの歯槽骨への埋植後の側面図
【図３】図１のインプラントのヘッド部を９０度回転させた形態のインプラントの斜視図
【符号の説明】
【００２０】１    インプラント
２    ヘッド
３    ボディ
４    頚部
５    貫通孔
２ａ  ヘッド上部
２ｂ  ヘッド下部
３ａ  ボディ上部
３ｂ  ボディ下部
Ａ    歯肉
Ｂ    歯槽骨
Ｃ    緻密骨
Ｄ    海綿骨
【図１】
2010063852.tif 000003
【図２】
2010063852.tif 000004
【図３】
2010063852.tif 000005